(57)【要約】  【課題】利用者の希望する部屋の条件を考慮したうえで利用者の希望する明るさ感の照明環境を実現可能な照明器具または照明器具の組み合わせを照明の専門知識を持たない一般の利用者が簡単に選択できるようにした照明器具販売システムを提供する。  【解決手段】販売者側サーバ１２は、利用者側端末２０のディスプレイ装置２１を通して利用者に部屋の情報を入力するように促す部屋情報獲得手段と、獲得した部屋の情報に基づく空間について「明るさ感単位」のレベルの異なる複数のシミュレーション画像をディスプレイ装置２１へ表示させるシミュレーション画像提示手段と、利用者の希望する「明るさ感単位」を受信すると商品情報管理データベースを利用して当該「明るさ感単位」を実現可能な照明器具および照明器具の組み合わせを求めてディスプレイ装置２１へ表示させる商品提示手段とを有する。【選択図】      図１
2005243306.tif 000002
【特許請求の範囲】
【請求項１】
コンピュータネットワークを介して互いに情報を授受する販売者側サーバおよび利用者側端末を備え、利用者側端末が、販売者側サーバへ送信する情報を入力する入力手段と、販売者側サーバから受信した情報を表示する表示手段とを有し、販売者側サーバが、多数の照明器具それぞれに関する商品情報および明るさ感を定量的に表すように規定した「明るさ感単位」を格納した商品情報管理データベースと、利用者側端末からアクセスされたときに利用者側端末の表示手段を通して利用者が照明器具を設置する部屋の情報であって明るさ感に関連する情報を入力するように促す部屋情報獲得手段と、部屋情報獲得手段にて獲得した部屋の情報に基づく空間について「明るさ感単位」のレベルの異なる複数のシミュレーション画像を利用者側端末の表示手段へ表示させるシミュレーション画像提示手段と、利用者側端末から利用者の希望する「明るさ感単位」を受信すると商品情報管理データベースを利用して当該「明るさ感単位」を実現可能な照明器具および照明器具の組み合わせを求めて利用者側端末の表示手段へ表示させる商品提示手段と、表示手段に表示された照明器具および照明器具の組み合わせの中から入力手段により選択されて送信された照明器具または照明器具の組み合わせに関する発注情報を受け付ける受注手段とを有することを特徴とする照明器具販売システム。
【請求項２】
前記部屋情報獲得手段により入力を促す部屋の情報として、部屋の大きさに関する情報および部屋の内装に関する情報の他に、照明器具の配置に関する情報と利用者が部屋を見る目線に関する情報との少なくとも一方を含んでいることを特徴とする請求項１記載の照明器具販売システム。
【請求項３】
前記シミュレーション画像提示手段は、照明器具の配置を固定した時の「明るさ感単位」の変化に応じた部屋のシミュレーション画像を表示させるモードと、「明るさ感単位」を固定した時の照明器具の配置の変化に応じた部屋のシミュレーション画像を表示させるモードとを有することを特徴とする請求項１または請求項２記載の照明器具販売システム。
【請求項４】
前記販売者側サーバは、前記部屋情報獲得手段にあらかじめ明るさ感に関連する情報を異ならせた複数種類の部屋条件を記憶させるとともに、前記シミュレーション画像提示手段にあらかじめ各部屋条件について「明るさ感単位」の各レベルのシミュレーション画像を記憶させてあり、前記部屋情報獲得手段は、明るさ感に関連する情報を入力するように促すにあたって、前記複数種類の部屋条件を前記利用者側端末の前記表示手段に表示させて１つの部屋条件を選択させることを特徴とする請求項１記載の照明器具販売システム。
【請求項５】
前記シミュレーション画像提示手段は、前記部屋情報獲得手段による部屋の情報の入力を促す表示と合わせてシミュレーション画像を表示させることを特徴とする請求項１記載の照明器具販売システム。
【請求項６】
前記販売者側サーバは、前記商品提示手段により前記表示手段に表示させた照明器具および照明器具の組み合わせの中から利用者が選択した照明器具または照明器具の組み合わせを前記部屋情報獲得手段により獲得した部屋の情報に基づく空間に設置した場合の部屋のシミュレーション画像を前記表示手段に表示させる機能を有することを特徴とする請求項１記載の照明器具販売システム。
【発明の詳細な説明】
【技術分野】
【０００１】
本発明は、照明器具に関する商品情報をインターネットなどのコンピュータネットワークを介して利用者に提供して利用者の希望する照明器具を販売する照明器具販売システムに関するものである。
【背景技術】
【０００２】
従来、照明器具の商品情報をインターネットなどのコンピュータネットワークを介して販売者側端末から利用者側端末へ提供し、利用者側端末の利用者からの照明器具の発注を受注するようにした照明器具販売システムが知られている。この種の照明器具販売システムとしては、照明器具の出力（光源のワット数など）やデザインなどのカタログ情報を販売者側端末から利用者側端末へ提供して、利用者が利用者側端末の表示手段に表示されたカタログ情報を参考にして希望する照明器具を選択できるようにしたものが知られている。
【０００３】
カタログ情報の中で照明器具の特性を示すものとしては、照明器具の配光データやある特定の条件を想定した場合の照度分布図などがあるが、その他に、例えば、照明器具が住宅の室内照明用であって天井に直付けされる照明器具（いわゆるシーリングライト）である場合には、照明器具の配光データから照度計算した結果に基づいて、ＪＩＳで規定されている人工照明の照度基準（ＪＩＳ  Ｚ  ９１１０参照）の水平面照度を概ね満足できる部屋の広さを特定し、「６〜８畳用」などという適合広さ（適合畳数）などがある。また、照明器具を部屋に設置した場合の空間の雰囲気を利用者に伝えるために、照明器具をモデルルームに設置したイメージ写真やコンピュータグラフィックス（以下、ＣＧという）画像を表示する方法がとられていた。
【０００４】
しかしながら、上述のようにカタログに記載された配光データ、照度分布図、適合畳数表示などでは、１つの照明器具のみを空間に配置した場合の水平面照度が規定のレベルを満足するか否かという情報は提供できるが、複数の照明器具を配置する場合や種類の異なる照明器具を組み合わせて配置する場合には、各照明器具の配光データから照度計算を行う作業が必要であり、そのような作業は煩雑であるうえ、照明に関してある程度の専門的な知識を持った人でなければできないものであった。
【０００５】
また、上述のイメージ写真やＣＧ画像では、利用者に、ある特定の条件下での照明の印象しか伝えることができず、利用者の希望する部屋の条件（内装や照明器具の配置）での照明の印象を伝えることはできなかった。
【０００６】
そこで、近年、各種の照明器具に関する商品情報を格納したデータベースと、利用者が端末を利用して入力した部屋の条件などの利用者のイメージする照明空間のデータに基づいて照明プラン（照明器具単体もしくは複数の照明器具の組み合わせ）を選定する意思決定支援システムと、意思決定支援システムで選定された照明プランに対応した照明空間の照明状態をシミュレーションしたＣＧ画像を生成するＣＧ装置とを備え、ＣＧ装置にて生成したＣＧ画像を利用者側の端末に表示させるようにしたシステムが提案されている（例えば、特許文献１，２参照）。
【特許文献１】特開２００１−２７３３５９号公報
【特許文献１】特開２００１−３０６８９３号公報
【発明の開示】
【発明が解決しようとする課題】
【０００７】
ところで、間接照明や壁面照明を施した部屋では、その部屋全体を見た場合の明るさの印象（以下、明るさ感という）を水平面照度だけでは規定できないことが明らかになっており（参考文献１〔H.Yamaguchi and M.Ikeda:Mesopic luminous-efficiency functions for various adapting levels,J.Oct.Soc.Am.A,1,pp.120-123(1984)〕参照）、明るさ感を定量的に評価して所望の明るさ感を実現するための照明設計を簡単に行えるようにしたシステムの開発が期待されている。
【０００８】
しかしながら、上記特許文献１に開示されたシステムは、部屋に関する情報から天井、床、壁などの輝度値を算出してファジィ推論により照明器具を選定し当該選定した照明器具による照明状態のＣＧ画像を、部屋の印象に関する複数の形容詞対（例えば、「明るい」と「暗い」との対）とともに利用者側の端末に表示させ、利用者が形容詞対における相対的な評価を変更することでＣＧ画像をリアルタイムに変化させるようにしたものであり、明るさ感を定量的に評価して照明環境を設計するものではなかった。また、上記特許文献２に開示されたシステムについても、明るさ感を定量的に評価して照明環境を設計するものではなかった。
【０００９】
本発明は上記事由に鑑みて為されたものであり、その目的は、利用者の希望する部屋の条件を考慮したうえで利用者の希望する明るさ感の照明環境を実現可能な照明器具または照明器具の組み合わせを照明の専門知識を持たない一般の利用者が簡単に選択できるようにした照明器具販売システムを提供することにある。
【課題を解決するための手段】
【００１０】
請求項１の発明は、コンピュータネットワークを介して互いに情報を授受する販売者側サーバおよび利用者側端末を備え、利用者側端末が、販売者側サーバへ送信する情報を入力する入力手段と、販売者側サーバから受信した情報を表示する表示手段とを有し、販売者側サーバが、多数の照明器具それぞれに関する商品情報および明るさ感を定量的に表すように規定した「明るさ感単位」を格納した商品情報管理データベースと、利用者側端末からアクセスされたときに利用者側端末の表示手段を通して利用者が照明器具を設置する部屋の情報であって明るさ感に関連する情報を入力するように促す部屋情報獲得手段と、部屋情報獲得手段にて獲得した部屋の情報に基づく空間について「明るさ感単位」のレベルの異なる複数のシミュレーション画像を利用者側端末の表示手段へ表示させるシミュレーション画像提示手段と、利用者側端末から利用者の希望する「明るさ感単位」を受信すると商品情報管理データベースを利用して当該「明るさ感単位」を実現可能な照明器具および照明器具の組み合わせを求めて利用者側端末の表示手段へ表示させる商品提示手段と、表示手段に表示された照明器具および照明器具の組み合わせの中から入力手段により選択されて送信された照明器具または照明器具の組み合わせに関する発注情報を受け付ける受注手段とを有することを特徴とする。
【００１１】
この発明によれば、販売者側サーバはコンピュータネットワークを介して利用者側端末からアクセスされたときに、利用者が照明器具を設置する部屋の情報を入力するように促し、入力された部屋の情報に基づく空間について「明るさ感単位」のレベルの異なる複数のシミュレーション画像を利用者側端末の表示手段へ表示させ、利用者側端末から利用者の希望する「明るさ感単位」を受信すると商品情報管理データベースを利用して当該「明るさ感単位」を実現可能な照明器具および照明器具の組み合わせを求めて利用者側端末の表示手段へ表示させ、利用者が選択した照明器具または照明器具の組み合わせに関する発注情報を受け付けるものであるから、利用者の希望する部屋の条件を考慮したうえで利用者の希望する明るさ感の照明環境を実現可能な照明器具および照明器具の組み合わせを利用者側端末の表示手段へ表示させることができ、照明の専門知識を持たない一般の利用者自らが発注する照明器具または照明器具の組み合わせを簡単に選択することができる。
【００１２】
請求項２の発明は、請求項１の発明において、前記部屋情報獲得手段により入力を促す部屋の情報として、部屋の大きさに関する情報および部屋の内装に関する情報の他に、照明器具の配置に関する情報と利用者が部屋を見る目線に関する情報との少なくとも一方を含んでいることを特徴とする。
【００１３】
この発明によれば、より詳細な部屋の条件を設定することによって、利用者により精度のよい部屋の明るさ感に関する情報を提供できる。
【００１４】
請求項３の発明は、請求項１または請求項２の発明において、前記シミュレーション画像提示手段は、照明器具の配置を固定した時の「明るさ感単位」の変化に応じた部屋のシミュレーション画像を表示させるモードと、「明るさ感単位」を固定した時の照明器具の配置の変化に応じた部屋のシミュレーション画像を表示させるモードとを有することを特徴とする。
【００１５】
この発明によれば、照明器具の配置を固定した時の「明るさ感単位」の変化に応じた部屋のシミュレーション画像だけでなく、「明るさ感単位」を固定した時の照明器具の配置の変化に応じたシミュレーション画像を利用者側端末の利用者に提示することが可能となる。
【００１６】
請求項４の発明は、請求項１の発明において、前記販売者側サーバは、前記部屋情報獲得手段にあらかじめ明るさ感に関連する情報を異ならせた複数種類の部屋条件を記憶させるとともに、前記シミュレーション画像提示手段にあらかじめ各部屋条件について「明るさ感単位」の各レベルのシミュレーション画像を記憶させてあり、前記部屋情報獲得手段は、明るさ感に関連する情報を入力するように促すにあたって、前記複数種類の部屋条件を前記利用者側端末の前記表示手段に表示させて１つの部屋条件を選択させることを特徴とする。
【００１７】
この発明によれば、前記販売者側サーバに、獲得した部屋情報に基づいてシミュレーションを行ってシミュレーション画像を生成する機能を持たせる必要がなく、より簡易なシステムの構成が可能となる。
【００１８】
請求項５の発明は、請求項１の発明において、前記シミュレーション画像提示手段は、前記部屋情報獲得手段による部屋の情報の入力を促す表示と合わせてシミュレーション画像を表示させることを特徴とする。
【００１９】
この発明によれば、利用者が部屋の情報を変えた場合の「明るさ感単位」の各レベルのシミュレーション画像をリアルタイムに表示することができ、より利用者の希望する部屋条件に合った明るさ感に関する情報を提供することができる。
【００２０】
請求項６の発明は、請求項１の発明において、前記販売者側サーバは、前記商品提示手段により前記表示手段に表示させた照明器具および照明器具の組み合わせの中から利用者が選択した照明器具または照明器具の組み合わせを前記部屋情報獲得手段により獲得した部屋の情報に基づく空間に設置した場合の部屋のシミュレーション画像を前記表示手段に表示させる機能を有することを特徴とする。
【００２１】
この発明によれば、利用者が照明器具または照明器具の組み合わせを選択する際に、照明器具または照明器具の組み合わせを部屋に配置した場合のシミュレーション画像を見ることができるので、選択した照明器具または照明器具の組み合わせにより期待する照明環境を実現可能か否か確認することができる。
【発明の効果】
【００２２】
請求項１の発明では、利用者の希望する部屋の条件を考慮したうえで利用者の希望する明るさ感の照明環境を実現可能な照明器具および照明器具の組み合わせを利用者側端末の表示手段へ表示させることができ、照明の専門知識を持たない一般の利用者自らが発注する照明器具または照明器具の組み合わせを簡単に選択することができるという効果がある。
【発明を実施するための最良の形態】
【００２３】
（実施形態１）
本実施形態の照明器具販売システムは、図１に示すように、コンピュータからなる販売者側サーバ１２と販売者側サーバ１２に接続され販売者側サーバ１２との間で情報を授受するコンピュータからなる販売者側端末１１とで構成される販売支援装置１０を備え、販売支援装置１０とコンピュータからなる利用者側端末２０とをコンピュータネットワークであるインターネット３０に接続することで、利用者側端末２０が販売者側サーバ１２にインタラクティブにアクセス可能となっている。なお、販売者側端末１１は、担当者などが操作する端末であり、キーボード、ポインティングデバイス（例えば、マウス）などの入力装置（図示せず）と、ディスプレイ装置１１ｂとを少なくとも備えている。
【００２４】
販売支援装置１０の販売者側サーバ１２には照明器具販売用のホームページが開設されており、利用者側端末２０がホームページにアクセスすることによって、ユーザー登録、商品である照明器具の選定や発注をオンラインで行うことができる。ここに、利用者側端末２０は、商品の購入を希望する利用者（ユーザー）が操作する端末であり、キーボード、ポインティングデバイス（例えば、マウス）などの入力装置（図示せず）と、ホームページを閲覧可能なディスプレイ装置２１とを少なくとも備えており、閲覧用プログラム（ブラウザ）が動作可能になっている。なお、本実施形態では、利用者側端末２０の入力装置が、販売者側サーバ１２へ与える情報を入力する入力手段を構成し、利用者側端末２０のディスプレイ装置２１が、販売者側サーバ１２から与えられる情報を表示する表示手段を構成している。また、販売者側サーバ１２には、ユーザに関する情報を管理するユーザー管理用データベース、照明器具に関する商品情報を管理する商品情報管理データベース、商品の発注先を管理する発注先管理用データベースなどが設けられている。
【００２５】
ところで、本実施形態では、空間（照明器具を設置した部屋）の明るさ感を定量的に表すように規定した「明るさ感単位」を照明器具毎に設定し商品管理用データベースに格納しておき適宜利用することによって、利用者の希望する部屋の条件を考慮したうえで、利用者の希望する明るさ感の照明環境を実現する照明器具および照明器具の組み合わせを、照明の専門知識を持たない一般の利用者自らが手軽に選択できるようにするものである。
【００２６】
まず、「明るさ感単位」について説明してから、システムの動作について説明する。
【００２７】
空間の明るさ感を定量的に評価する手法の事例として、参考文献２（〔山口秀樹、篠田博之、池田光男：照明認識視空間の明るさサイズの測定による実環境における空間の明るさ感の評価、照明学会誌第８６巻第１１号、pp.830-836(2002)〕）に示された照明認識視空間の概念における境界輝度の測定が挙げられる。この手法は参考文献２の図２に示されるような実験設備において、被験者から見たテストパッチの見え方が照明された部屋内に置かれた物体として認識される輝度から徐々に増加させていき、その部屋に置かれた物体として不自然な見え方になるときの輝度として定義した境界輝度を測定することで照明認識視空間の明るさサイズを定義し、その明るさサイズに基づいて、照明された部屋の明るさ感を定量的に表すものである。
【００２８】
また、参考文献３（〔山口秀樹、篠田博之、池田光男：室内配色による照明認識視空間の明るさサイズの変化、第３４回照明学会全国大会講演論文集、p.211(2001)〕）には、室内の配色の違いにより照明認識視空間の境界輝度が変化することが報告されている。すなわち、参考文献３には、内装が白い壁で家具の少ない状態Ｗ（Ｈ）の部屋、内装が白い壁で明度の低い家具を増やした状態Ｗ（Ｌ）の部屋、内装が黒い壁で最高明度が５になるように家具を配置した状態Ｂの部屋の３種類の部屋に同じ照明を施して境界輝度の測定を行った結果、各状態Ｗ（Ｈ），Ｗ（Ｌ），Ｂそれぞれの部屋で境界輝度の測定値に変化が見られ、状態Ｂの部屋の境界輝度は状態Ｗ（Ｈ）の部屋の境界輝度の約半分になったことが報告されている。また、参考文献３には、境界輝度は主に部屋の照度によって変化するが、同じ照度下においても明度の低い内装を施したほうが境界輝度が小さくなることが報告されている。
【００２９】
さらに、参考文献４（〔山口秀樹、篠田博之、池田光男：不均一な照明環境における空間の明るさ感の加法性、第３６回照明学会全国大会講演論文集、p.154(2003)〕）には、複数の照明器具を組み合わせることにより形成した不均一な照明環境において境界輝度の加法性が成り立つことが示されている。すなわち、ある照明環境Ａが照明環境Ｂと照明環境Ｃとの和であるとき、照明環境Ｂにおける境界輝度と照明環境Ｃにおける境界輝度との和で照明環境Ａにおける境界輝度が予測できることが実証されている。なお、参考文献４に用いた実験用の部屋の天井には左右の壁それぞれから所定距離だけ離れた位置に１本の蛍光灯を光源とする照明器具を１つずつ配置し、部屋の４隅にダウンライトからなる照明器具を１つずつ配置してあり、全ての照明器具を点灯させることにより照明環境Ａを形成し、右側の蛍光灯のみを消灯させることで照明環境Ｂを形成し、左側の蛍光灯のみを消灯させることで照明環境Ｃを形成している。
【００３０】
以上の参考文献２〜４から分かるように、照明認識視空間の概念における境界輝度を測定することによって、空間の明るさ感を定量的に評価することができるので、任意の照明器具を設置した部屋の明るさ感を規定する「明るさ感単位」を設定することが可能である。そこで、本実施形態では、照明器具毎に「明るさ感単位」を設定して「明るさ感単位」を照明器具に対応付けて商品管理用データベースに格納してあるので、「明るさ感単位」に対応する照明器具や照明器具の組み合わせを抽出することが可能となる。
【００３１】
次に、本実施形態の照明器具販売システムの利用方法について説明する。
【００３２】
利用者が利用者側端末２０から販売支援装置１０の販売者側サーバ１２のホームページにアクセスすると、利用者側端末２０のディスプレイ装置２１には図２に示すような初期画面が表示される。ここで、利用者が利用者側端末２０の入力装置によって「ユーザー登録はこちら」をクリックすると、図３に示すようなユーザー登録用の画面が表示される。図３に示した画面では、ユーザー情報として、「ユーザーＩＤ」、「パスワード」、「氏名」、「フリガナ」、「郵便番号」、「住所」、「電話番号」、「メールアドレス」それぞれを入力させるフィールドＦ１〜Ｆ８が設けられており、利用者が利用者側端末２０の入力装置によって各フィールドＦ１〜Ｆ８に所要事項を入力して登録釦Ｂ１をクリックすれば、利用者のユーザーＩＤ、パスワード、氏名、フリガナ、郵便番号、住所、電話番号、メールアドレスが販売者側サーバ１２へ送信され、販売者側サーバ１２においてユーザー情報を獲得することができる。
【００３３】
その後、図２の初期画面において利用者が利用者側端末２０の入力装置によって「お買い物はこちら」をクリックすると、利用者側端末２０のディスプレイ装置２１にユーザＩＤおよびパスワードを入力させるための画面（図示せず）が表示される。ここで、利用者が利用者側端末２０の入力装置によってユーザーＩＤおよびパスワードを入力して画面上の送信釦をクリックすれば、ユーザーＩＤおよびパスワードが販売側サーバ１２へ送信され、ユーザーＩＤおよびパスワードがユーザー管理用データベースのデータと一致すると、利用者側端末２０のディスプレイ装置２１には、図４に示すような部屋情報入力用の画面が表示される。なお、図３に例示したユーザー登録用の画面においてキャンセル釦Ｂ２をクリックすれば、図２の初期画面に戻る。
【００３４】
図４に示した画面では、利用者が照明器具の設置対象とする部屋の情報を入力できるようになっている。すなわち、図４に示した画面では、部屋の「間口」、「奥行」、「天井高さそれぞれを入力させるフィールドＦ１１〜Ｆ１３が設けられるとともに、部屋の内装状況を、天井、壁、床それぞれについて「明るい」、「暗い」の２つの選択肢を表示したメニューボックスＭＢ１１〜ＭＢ１３が設けられており、利用者が利用者側端末２０の入力装置によって各フィールドＦ１１〜Ｆ１３へ所要事項を入力するとともに、各メニューボックスＭＢ１１〜ＭＢ１３における「明るい」、「暗い」のいずれかの選択肢を選択して、決定釦Ｂ１１をクリックすれば、部屋の情報（間口、奥行、天井高さ、天井の内装状況、壁の内装状況、床の内装状況）が販売者側サーバ１２へ送信され、販売者側サーバ１２において部屋情報を獲得することができる。
【００３５】
販売者側サーバ１２は、部屋の情報を獲得すると、獲得した部屋の情報に基づいて、部屋の明るさに関して「明るさ感単位」のレベルの異なる複数のシミュレーション画像を用意して、図５に示すような画面を利用者側端末２０のディスプレイ装置２１に表示させる。ここで、販売者側サーバ１２は、部屋の情報に応じて「明るさ感単位」のレベルの異なる複数のシミュレーション画像をＣＧソフトなどを使って作成するシミュレーション画像生成手段を有している。図５に示した画面では、「明るさ感単位」のレベルを４０とした時の部屋のシミュレーション画像Ｇ１、「明るさ感単位」のレベルを３０とした時の部屋のシミュレーション画像Ｇ２、「明るさ感単位」のレベルを２０とした時の部屋のシミュレーション画像Ｇ３、「明るさ感単位」のレベルを１０とした時の部屋のシミュレーション画像Ｇ４が表示されており、利用者が、シミュレーション画像Ｇ１〜Ｇ４の中から自分の希望する「明るさ感単位」のシミュレーション画像を選択することで自分の希望する「明るさ感単位」を入力し、決定釦Ｂ２１をクリックすれば、利用者の希望する「明るさ感単位」のレベルが販売者側サーバ１２へ送信され、販売者側サーバ１２において利用者の希望する「明るさ感単位」のレベルを獲得することができる。
【００３６】
販売者側サーバ１２は、利用者の希望する「明るさ感単位」のレベルを獲得すると、獲得した「明るさ感単位」のレベルに相当する照明器具および照明器具の組み合わせを、商品情報管理データベースを利用して選択し、図６に示すような画面を利用者側端末２０のディスプレイ装置２１に表示させる。図６に示した画面では、商品Ａ、商品Ｂ、商品Ｃと商品Ｄとの組み合わせ（商品Ｃ＋商品Ｄ）、商品Ｅと商品Ｆと商品Ｇとの組み合わせ（商品Ｅ＋商品Ｆ＋商品Ｇ）それぞれについて商品の外観を表す写真や図面などの商品図からなる画像Ｇ１１、Ｇ１２、Ｇ１３、Ｇ１４が表示されており、利用者が自分の希望する商品または商品の組み合わせの画像をクリックすることで希望する照明器具または照明器具の組み合わせを選択し、決定釦Ｂ３１をクリックすると、利用者側端末２０のディスプレイ装置２１には図７に示すような画面が表示される。
【００３７】
図７に示した画面では、図６の画面において利用者が選択した商品および商品の価格が表示される。ここで、利用者は、発注する場合には「注文する」と表示された釦Ｂ４１をクリックすればよく、釦Ｂ４１をクリックすれば、発注情報が販売者側サーバ１２へ送信され、販売者側サーバ１２にて発注情報を受け付け、販売者側サーバ１２が商品発送担当部署のコンピュータからなる端末に発注情報および商品の発送に必要な利用者（顧客）の情報（氏名、住所、連絡先など）を送信する。なお、販売者側サーバ１２には、上述の発注先管理用データベースが設けられており、発注先管理用データベースには、商品発送担当部署の連絡先（電話番号、ＦＡＸ番号、メールアドレス）、住所などのデータが格納されている。
【００３８】
また、利用者は、図７の画面を確認して発注しないと判断した場合には「終了」と表示された釦Ｂ４５をクリックしてホームページへのアクセスを終了するか、あるいは戻り先を選択すればよい。戻り先の選択にあたっては、「部屋情報入力に戻る」と表示された釦Ｂ４２をクリックすれば上述の図４の画面に戻り、「明るさ選択に戻る」と表示された釦Ｂ４３をクリックすれば上述の図５の画面に戻り、「器具選択に戻る」と表示された釦Ｂ４４をクリックすれば上述の図６の画面に戻る。
【００３９】
以上の説明を簡単にまとめると図８のようになる。すなわち、利用者側端末２０において照明器具を設置する部屋の情報を入力して販売者側サーバ１２へ送信する（Ｓ１）と、販売者側サーバ１２は部屋情報に基づいて「明るさ感単位」のレベルの異なる複数のシミュレーション画像を利用者側端末２０へ送信する（Ｓ２）。そこで、利用者側端末２０において表示されたシミュレーション画像をガイドとして利用者が希望する「明るさ感単位」を入力して販売者側サーバ１２へ送信する（Ｓ３）と、販売者側サーバ１２は、利用者の希望する「明るさ感単位」に相当する照明器具および照明器具の組み合わせの情報を利用者側端末２０へ送信する（Ｓ４）。そして、利用者が利用者側端末２０において表示された照明器具および照明器具の組み合わせから希望するものを選択し（Ｓ５）、利用者が発注するか否か判断し（Ｓ６）、「注文する」と表示した釦Ｂ４１がクリックされた場合には、利用者が選択した照明器具または照明器具の組み合わせの発注情報が販売者側サーバ１２に送信され販売者側サーバ１２にて受け付けられる（Ｓ７）。Ｓ６において発注しないと判断した場合には終了が指示されるか戻り先が指示される（Ｓ８）。Ｓ８において「終了」と表示した釦Ｂ４５がクリックされた場合には販売者側サーバ１２へのアクセスが終了し、戻り先が指定された場合（釦Ｂ４２，Ｂ４３，Ｂ４４のいずれかがクリックされた場合）にはＳ１，Ｓ３，Ｓ５のいずれかのステップへ戻ることになる。
【００４０】
なお、販売者側サーバ１２は、上述の各データベースの他に、コンピュータ装置によって実現される以下の各手段が設けられている。すなわち、販売者側サーバ１２には、利用者側端末２０からアクセスされたときに利用者側端末２０のディスプレイ装置２１に図４のような画面を表示させることでディスプレイ装置２１を通して利用者が照明器具を設置する部屋の情報（部屋の間口、奥行、天井高さ、天井の内装状況、壁の内装状況、床の内装状況などの明るさ感に関連する情報）を入力するように促す部屋情報獲得手段と、部屋情報獲得手段にて獲得した部屋の情報に基づく空間（部屋空間）について図５のように「明るさ感単位」のレベルの異なる複数のシミュレーション画像Ｇ１〜Ｇ４を利用者側端末２０のディスプレイ装置２１へ表示させるシミュレーション画像提示手段と、利用者側端末２０から利用者の希望する「明るさ感単位」を受信すると商品情報管理データベースを利用して当該「明るさ感単位」を実現可能な照明器具および照明器具の組み合わせを求めて図６のように照明器具および照明器具の組み合わせの画像Ｇ１１〜Ｇ１４を利用者側端末２０のディスプレイ装置２１へ表示させる商品提示手段と、利用者側端末２０のディスプレイ装置２１に表示された照明器具および照明器具の組み合わせの中から利用者側端末２０の入力装置により選択されて送信された照明器具または照明器具の組み合わせに関する発注情報を受け付ける受注手段とが設けられている。
【００４１】
しかして、本実施形態の照明器具販売システムにおける販売者側サーバ１２は、インターネット３０を介して利用者側端末２０からアクセスされたときに、利用者に対して照明器具を設置する部屋の情報を入力するように促し、入力された部屋の情報に基づく空間（部屋空間）について「明るさ感単位」のレベルの異なる複数のシミュレーション画像Ｇ１〜Ｇ４を利用者側端末２０のディスプレイ装置２１へ表示させ、利用者側端末２０から利用者の希望する「明るさ感単位」を受信すると商品情報管理データベースを利用して当該「明るさ感単位」を実現可能な照明器具および照明器具の組み合わせを求めて利用者側端末２０のディスプレイ装置２１へ表示させ、利用者が選択した照明器具または照明器具の組み合わせに関する発注情報を受け付けるものであるから、利用者の希望する部屋の条件を考慮したうえで利用者の希望する明るさ感の照明環境を実現可能な照明器具および照明器具の組み合わせを利用者側端末２０のディスプレイ装置２１へ表示させることができ、照明の専門知識を持たない一般の利用者自らが発注する照明器具または照明器具の組み合わせを簡単に選択することができる。なお、本実施形態では、コンピュータネットワークとしてインターネット３０を利用する例について説明したが、コンピュータネットワークはインターネットに限定されるものではない。
【００４２】
（実施形態２）
本実施形態の照明器具販売システムの基本構成は実施形態１と同様なので図示および説明を省略し、実施形態１と相違する点についてのみ説明する。
【００４３】
実施形態１では境界輝度に基づいて「明るさ感単位」を規定しているが、参考文献３および参考文献４に示されているようにように、境界輝度の値は被験者から見た照明器具の配置や部屋の内装の色および部屋内の家具の配置に依存する。
【００４４】
そこで、本実施形態では、部屋情報獲得手段により入力を促す部屋の情報として、部屋の大きさに関する情報（間口、奥行、天井高さ）および部屋の内装に関する情報（天井、壁、床それぞれの内装状況）の他に、照明器具の配置に関する情報（照明器具を配置する位置の座標）と利用者が部屋を見る目線に関する情報（利用者の目線の方向）との入力を促すようにしている。
【００４５】
具体的には、利用者側端末２０のディスプレイ装置２１において表示され部屋情報の入力を促す画面が実施形態１にて説明した図４とは相違しており、図９に示すような画面が表示される。すなわち、図４と同様のフィールドＦ１１〜Ｆ１３、メニューボックスＭＢ１１〜ＭＢ１３の他に、照明器具の配置を入力するフィールドＦ１４〜Ｆ１６、利用者が部屋を見るときの目線の方向を矢印で示した４つの方向Ａ，Ｂ，Ｃ，Ｄから選択させる方向選択用の図が設けられており、利用者が利用者側端末２０の入力装置によって各フィールドＦ１１〜Ｆ１３，Ｆ１４〜Ｆ１６へ所要事項を入力するとともに、各メニューボックスＭＢ１１〜ＭＢ１３における「明るい」、「暗い」のいずれかの選択肢を選択し、目線の方向を４つの方向Ａ，Ｂ，Ｃ，Ｄから選択して、決定釦Ｂ１１をクリックすれば、部屋の情報（間口、奥行、天井高さ、天井の内装状況、壁の内装状況、床の内装状況、部屋内で照明器具を配置する位置の座標、利用者が部屋を見るときの目線の方向）が販売者側サーバ１２へ送信され、販売者側サーバ１２において部屋情報を獲得することができる。
【００４６】
そして、シミュレーション画像提示手段では、部屋情報獲得手段にて獲得した部屋の情報（部屋の間口、奥行、天井高さ、天井の内装状況、壁の内装状況、床の内装状況、部屋内で照明器具を配置する位置の座標、利用者が部屋を見るときの目線の方向）に基づいて「明るさ感単位」の異なる複数のシミュレーション画像を利用者側端末２０のディスプレイ装置２１へ表示させる。
【００４７】
しかして、本実施形態の照明器具販売システムでは、部屋情報を入力する画面においてより詳細な部屋の条件を設定することによって、より実際の部屋の状況に近い「明るさ感単位」を設定することができ、利用者により精度のよい部屋の明るさ感に関する情報を提供できる。
【００４８】
なお、本実施形態では、販売者側サーバ１２が利用者側端末２０の利用者に入力を促して獲得する部屋の情報（つまり、部屋情報獲得手段にて獲得する部屋の情報）として、照明器具の配置に関する情報と利用者が部屋を見るときの目線に関する情報とを追加してあるが、一方の情報のみを追加するようにしてもよい。
【００４９】
（実施形態３）
本実施形態の照明器具販売システムの基本構成は実施形態１，２と同様なので図示および説明を省略し、実施形態１，２と相違する点についてのみ説明する。
【００５０】
ところで、実施形態２のように「明るさ感単位」の変化要因として、照明器具の配置に関する情報や利用者が部屋を見るときの目線に関する情報などのパラメータを考慮すると、照明器具の配置を固定した場合に「明るさ感単位」のレベルの違う部屋の状況が存在するとともに、「明るさ感単位」を固定した場合に照明器具の配置の違う部屋の状況が存在することになる。そこで、本実施形態では、販売者側サーバ１２に設けるシミュレーション画像提示手段が、照明器具の配置を固定した時（配置を同じとした時）の「明るさ感単位」の変化に応じた部屋のシミュレーション画像を表示させる第１のモードと、「明るさ感単位」を固定した時（一定値とした時）の照明器具の配置の変化に応じた部屋のシミュレーション画像を表示させる第２のモードとを有するようにしてあり、実施形態１，２とはシステムの動作で相違する点がある。
【００５１】
ここにおいて、本実施形態の照明器具販売システムの動作を実施形態１にて説明した図２と同様のフローチャートで示すと図１０のようになる。すなわち、利用者側端末２０において照明器具を設置する部屋の情報を入力して販売者側サーバ１２へ送信する（Ｓ２１）と、販売者側サーバ１２は第１のモードで部屋情報に基づいて「明るさ感単位」のレベルの異なる複数のシミュレーション画像を利用者側端末２０へ送信する（Ｓ２２）。そこで、利用者側端末２０において表示されたシミュレーション画像をガイドとして利用者が希望する「明るさ感単位」を入力し（Ｓ２３）、第２のモードでシミュレーション画像を見るか否かを判断し（Ｓ２４）、第２のモードでシミュレーション画像を見ないと判断した場合には、Ｓ２３にて入力した「明るさ感単位」が販売者側サーバ１２へ送信され、販売者側サーバ１２は、利用者の希望する「明るさ感単位」に相当する照明器具および照明器具の組み合わせの情報を利用者側端末２０へ送信する（Ｓ２５）。そして、利用者が利用者側端末２５において表示された照明器具および照明器具の組み合わせから希望するものを選択し（Ｓ２６）、利用者が発注するか否か判断し（Ｓ２７）、「注文する」と表示した釦Ｂ４１がクリックされた場合には、利用者が選択した照明器具または照明器具の組み合わせの発注情報が販売者側サーバ１２に送信され販売者側サーバ１２にて受け付けられる（Ｓ２８）。Ｓ２７において発注しないと判断した場合には終了が指示されるか戻り先が指示される（Ｓ２９）。Ｓ２９において「終了」と表示した釦Ｂ４５がクリックされた場合には販売者側サーバ１２へのアクセスが終了し、戻り先が指定された場合（釦Ｂ４２，Ｂ４３，Ｂ４４のいずれかがクリックされた場合）にはＳ２１，Ｓ２３，Ｓ２６のいずれかのステップへ戻ることになる。
【００５２】
また、Ｓ２４において第２のモードでシミュレーション画像を見ると判断した場合には、その旨が販売者側サーバ１２へ送信され、販売者側サーバ１２は第２のモードで「明るさ感単位」が同じで照明器具の配置を異ならせた部屋のシミュレーション画像を利用者側端末２０へ送信する（Ｓ３１）。すると、利用者側端末２０のディスプレイ装置２１には図１１に示すような画面が表示される。ここに、図１１に示した例では、「明るさ感単位」を３０で固定した場合において照明器具Ｌの配置を異ならせた部屋のシミュレーション画像Ｇ５，Ｇ６，Ｇ７，Ｇ８が表示されている。利用者が図１１の画面に表示されたシミュレーション画像Ｇ５〜Ｇ８の中から希望する照明器具Ｌの配置の画像を選択して決定釦Ｂ５１をクリックすれば希望する照明器具の配置に関する情報が販売者側サーバ１２へ送信され（Ｓ３２）、販売者側サーバ１２が上述のＳ２５の動作を行うことになる。なお、Ｓ２５以降の動作は上述の通りである。
【００５３】
しかして、本実施形態の照明器具販売システムでは、照明器具の配置を固定した時の「明るさ感単位」の変化に応じた部屋のシミュレーション画像だけでなく、「明るさ感単位」を固定した時の照明器具の配置の変化に応じたシミュレーション画像を利用者側端末の利用者に提示することが可能となる。
【００５４】
（実施形態４）
本実施形態の照明器具販売システムの基本構成は実施形態１〜３と同様なので図示および説明を省略し、実施形態１〜３と相違する点についてのみ説明する。
【００５５】
ところで、実施形態１〜３におけるシミュレーション画像提示手段は、利用者が任意の部屋の条件や照明器具の配置などを入力し、部屋情報獲得手段にて獲得した部屋の情報に基づく空間について「明るさ感単位」のレベルの異なる複数のシミュレーション画像をＣＧソフトなどを使って生成しているが、本実施形態では、販売者側サーバー１２に、販売者があらかじめ用意した数種類の部屋条件での「明るさ感単位」の各レベルのシミュレーション画像のデータを格納しておき、利用者側端末２０のディスプレイ装置２１にその部屋条件を提示して選択させる機能を有している。すなわち、本実施形態における販売者側サーバ１２は、部屋情報獲得手段にあらかじめ明るさ感に関連する情報を異ならせた複数種類の部屋条件を記憶させるとともに、シミュレーション画像提示手段にあらかじめ各部屋条件について「明るさ感単位」の各レベルのシミュレーション画像を記憶させてあり、部屋情報獲得手段は、明るさ感に関連する情報を入力するように促すにあたって、複数種類の部屋条件を利用者側端末２０のディスプレイ装置２１に表示させて１つの部屋条件を選択させるようになっている。
【００５６】
しかして、本実施形態の照明器具販売システムでは、販売者側サーバ１２に、獲得した部屋情報に基づいてシミュレーションを行ってシミュレーション画像を生成する機能を持たせる必要がなく、より簡易なシステムの構成が可能となる。
【００５７】
（実施形態５）
本実施形態の照明器具販売システムの基本構成は実施形態１〜３と同様なので図示および説明を省略し、実施形態１〜３と相違する点についてのみ説明する。
【００５８】
本実施形態では、販売者側サーバ１２が、利用者側端末２０において利用者が任意に入力した部屋の情報や照明器具の配置に応じて「明るさ感単位」の各レベルのシミュレーション画像を用意し、利用者側端末２０のディスプレイ装置２１にリアルタイムに表示させる機能を有する点が相違する。要するに、本実施形態では、シミュレーション画像提示手段が、部屋情報獲得手段による部屋の情報の入力を促す表示と合わせてシミュレーション画像を表示させるようになっている。したがって、本実施形態では、例えば実施形態１にて説明した図４の画面の表示と図５の画面の表示とが同一画面に表示されることになる。
【００５９】
本実施形態の照明器具販売システムでは、利用者が利用者側端末２０のディスプレイ装置２１の画面を見ながら入力装置により部屋の情報を変えた場合の「明るさ感単位」の各レベルのシミュレーション画像を同一画面にリアルタイムに表示することができ、より利用者の希望する部屋条件に合った明るさ感に関する情報を利用者へ提供することができる。
【００６０】
（実施形態６）
本実施形態の照明器具販売システムの基本構成は実施形態１〜５と同様なので図示および説明を省略し、実施形態１〜５と相違する点についてのみ説明する。
【００６１】
ところで、上記各実施形態では、実施形態１にて説明した図６のような画面において照明器具および照明器具の組み合わせが写真などの商品図の画像で表示されるが、本実施形態では、図１２に示すような画面を表示させるようにし、希望する照明器具または照明器具の組み合わせの画像を選択した後で「シミュレーション画像表示」と表示した釦Ｂ３２をクリックすると、図１３に示すように選択した照明器具または照明器具の組み合わせを部屋の情報に基づく空間（部屋空間）に設置した場合のシミュレーション画像Ｇ２０をディスプレイ装置２１に表示させるようになっている。すなわち、本実施形態における販売者側サーバ１２は、商品提示手段により利用者側端末２０のディスプレイ装置２１に表示させた照明器具および照明器具の組み合わせの中から利用者が選択した照明器具または照明器具の組み合わせを部屋情報獲得手段により獲得した部屋の情報に基づく空間に設置した場合の部屋のシミュレーション画像Ｇ２０をディスプレイ装置２１に表示させる機能を有している。なお、図１３中のＬは照明器具を示している。また、図１３の画面において「器具選択画面に戻る」と表示された釦Ｂ６１をクリックすれば、図１２の画面に戻る。
【００６２】
しかして、本実施形態の照明器具販売システムでは、利用者が照明器具または照明器具の組み合わせを選択する際に、照明器具または照明器具の組み合わせを部屋に配置した場合のシミュレーション画像Ｇ２０を見ることができるので、選択した照明器具または照明器具の組み合わせを部屋に配置した場合の部屋の雰囲気を利用者が具体的にイメージすることができ、選択した照明器具または照明器具の組み合わせにより期待する照明環境を実現可能か否か容易確認することができる。
【図面の簡単な説明】
【００６３】
【図１】実施形態１を示すシステム構成図である。
【図２】同上における利用者側端末の画面例を示す図である。
【図３】同上における利用者側端末の画面例を示す図である。
【図４】同上における利用者側端末の画面例を示す図である。
【図５】同上における利用者側端末の画面例を示す図である。
【図６】同上における利用者側端末の画面例を示す図である。
【図７】同上における利用者側端末の画面例を示す図である。
【図８】同上の動作説明図である。
【図９】実施形態２における利用者側端末の画面例を示す図である。
【図１０】実施形態３の動作説明図である。
【図１１】同上における利用者側端末の画面例を示す図である。
【図１２】実施形態６における利用者側端末の画面例を示す図である。
【図１３】同上における利用者側端末の画面例を示す図である。
【符号の説明】
【００６４】
１０  販売支援装置
１１  販売者側端末
１１ｂ  ディスプレイ装置
１２  販売者側サーバ
２０  利用者側端末
２１  ディスプレイ装置
３０  インターネット
【図１】
2005243306.tif 000003
【図２】
2005243306.tif 000004
【図３】
2005243306.tif 000005
【図４】
2005243306.tif 000006
【図５】
2005243306.tif 000007
【図６】
2005243306.tif 000008
【図７】
2005243306.tif 000009
【図８】
2005243306.tif 000010
【図９】
2005243306.tif 000011
【図１０】
2005243306.tif 000012
【図１１】
2005243306.tif 000013
【図１２】
2005243306.tif 000014
【図１３】
2005243306.tif 000015